(57)【要約】【課題】非接触にて充電を行うに際し、充電される電子機器の大型化を防止する。【解決手段】デジタルカメラ１Ａ，１Ａ′をクレードル１Ｂ，１Ｂ′に載置し、クレードル１Ｂ，１Ｂ′の垂直部分を近接させて配置する。クレードル１Ｂ，１Ｂ′にはコイルが設けられている。デジタルカメラ１Ａは自身のバッテリの残量と相手方のデジタルカメラ１Ａ′のバッテリの残量とを比較し、相手方のバッテリの残量の方が小さい場合には相手方のデジタルカメラ１Ａ′に送電する。相手方のバッテリの残量の方が大きい場合には自身のバッテリを充電する。【選択図】図１
2010028915.tif 000002
【特許請求の範囲】
【請求項１】
２次電池と、
前記２次電池の電力を外部機器に送電する送電手段と、
前記２次電池を充電する充電手段と、
前記送電手段および前記充電手段と接続される第１の接続手段と、
前記２次電池、前記送電手段および前記充電手段を備えた他の電源装置と通信を行う通信手段と、
前記他の電源装置の２次電池の残量と自身の２次電池の残量とを比較する比較手段と、
前記他の電源装置の２次電池の残量の方が大きい場合に前記充電手段を駆動し、前記他の電源装置の２次電池の残量の方が小さい場合に前記送電手段を駆動する切り替え手段とを備えた電源装置、および
前記第１の接続手段と接続される第２の接続手段と、
該第２の接続手段と接続され、前記送電手段が駆動される場合において、電磁誘導により無接点で前記２次電池の電力を外部機器に送電し、前記充電手段が駆動される場合において、電磁誘導により発生した電圧により無接点で前記２次電池を充電するコイルとを備えた充電装置を有することを特徴とする電源システム。
【請求項２】
２次電池と、
前記２次電池の電力を外部機器に送電する送電手段と、
前記２次電池を充電する充電手段と、
前記送電手段および前記充電手段と接続される第１の接続手段と、
前記２次電池、前記送電手段および前記充電手段を備えた他の電源装置と通信を行う通信手段と、
前記他の電源装置の２次電池の残量、該他の電源装置の基準電力、自身の前記２次電池の残量、および自身の基準電力に基づいて、前記他の電源装置の２次電池の残量および自身の２次電池の残量を、該他の電源装置の基準電力および自身の基準電力に応じて均一に配分するための配分電力量を算出し、自身の配分電力量が自身の２次電池の残量未満の場合に前記送電手段を駆動し、自身の配分電力量が自身の２次電池の残量より大きい場合に前記充電手段を駆動する切り替え手段とを備えた電源装置、および
前記第１の接続手段と接続される第２の接続手段と、
該第２の接続手段と接続され、前記送電手段が駆動される場合において、電磁誘導により無接点で前記２次電池の電力を外部機器に送電し、前記充電手段が駆動される場合において、電磁誘導により発生した電圧により無接点で前記２次電池を充電するコイルとを備えた充電装置を有することを特徴とする電源システム。
【請求項３】
前記電源装置が、前記充電手段における起電力を測定する起電力測定手段と、
前記充電手段が駆動される場合において、所定のタイミングにて前記起電力測定手段により前記起電力を測定し、該起電力が所定のしきい値以下の場合に前記充電を停止する指示を前記通信手段から前記他の電源装置に行う制御手段とをさらに備えたことを特徴とする請求項１または２記載の電源システム。
【請求項４】
前記制御手段は、充電の開始時に前記起電力測定手段により前記起電力を測定し、該起電力が前記所定のしきい値以下の場合に前記充電を停止する指示を前記通信手段から前記他の電源装置に行う手段であることを特徴とする請求項３記載の電源システム。
【請求項５】
前記制御手段は、充電の開始後、所定の時間間隔にて前記起電力測定手段により前記起電力を測定し、該起電力が前記所定のしきい値以下の場合に前記充電を停止する指示を前記通信手段から前記他の電源装置に行う手段であることを特徴とする請求項３記載の電源システム。
【請求項６】
前記電源装置が、各種表示を行う表示手段と、
前記送電手段または前記充電手段の駆動の状況、および前記２次電池の残量の状況の少なくとも１つを含む状況情報を前記表示手段に表示する表示制御手段とをさらに備えたことを特徴とする請求項１から５のいずれか１項記載の電源システム。
【請求項７】
請求項１記載の電源システムにおける電源装置の制御方法であって、
前記２次電池、前記送電手段および前記充電手段を備えた他の電源装置における２次電池の残量と自身の２次電池の残量とを比較し、
前記他の電源装置の２次電池の残量の方が大きい場合に前記充電手段を駆動し、
前記他の電源装置の２次電池の残量の方が小さい場合に前記送電手段を駆動することを特徴とする電源装置の制御方法。
【請求項８】
請求項２記載の電源システムにおける電源装置の制御方法であって、
前記２次電池、前記送電手段および前記充電手段を備えた他の電源装置における２次電池の残量、該他の電源装置の基準電力、自身の前記２次電池の残量、および自身の基準電力に基づいて、前記他の電源装置の２次電池の残量および自身の２次電池の残量を、該他の電源装置の基準電力および自身の基準電力に応じて均一に配分するための配分電力量を算出し、
自身の配分電力量が自身の２次電池の残量未満の場合に前記送電手段を駆動し、
自身の配分電力量が自身の２次電池の残量より大きい場合に前記充電手段を駆動することを特徴とする電源装置の制御方法。
【請求項９】
請求項１記載の電源システムにおける電源装置の制御方法をコンピュータに実行させるためのプログラムであって、
前記２次電池、前記送電手段および前記充電手段を備えた他の電源装置における２次電池の残量と自身の２次電池の残量とを比較する手順と、
前記他の電源装置の２次電池の残量の方が大きい場合に前記充電手段を駆動する手順と、
前記他の電源装置の２次電池の残量の方が小さい場合に前記送電手段を駆動する手順とをコンピュータに実行させることを特徴とするプログラム。
【請求項１０】
請求項２記載の電源システムにおける電源装置の制御方法をコンピュータに実行させるためのプログラムであって、
前記２次電池、前記送電手段および前記充電手段を備えた他の電源装置における２次電池の残量、該他の電源装置の基準電力、自身の前記２次電池の残量、および自身の基準電力に基づいて、前記他の電源装置の２次電池の残量および自身の２次電池の残量を、該他の電源装置の基準電力および自身の基準電力に応じて均一に配分するための配分電力量を算出する手順と、
自身の配分電力量が自身の２次電池の残量未満の場合に前記送電手段を駆動する手順と、
自身の配分電力量が自身の２次電池の残量より大きい場合に前記充電手段を駆動する手順とをコンピュータに実行させることを特徴とするプログラム。
【発明の詳細な説明】
【技術分野】
【０００１】
本発明は、充電可能な２次電池を備えた撮影装置等に使用される電源システム、電源システムに使用される電源装置の制御方法、および電源装置の制御方法をコンピュータに実行させるためのプログラムに関するものである。
【背景技術】
【０００２】
デジタルカメラ、携帯電話およびＰＤＡ等の携帯式の電子機器は、電源に充電が可能な２次電池を使用していることが多い。２次電池の充電は専用の充電器を使用したコネクタピンによるものが多いが、電磁誘導を利用した無接点の充電装置により非接触にて充電するものが提案されている。このように非接触で充電を行うために、クレードル等の充電装置において発生させる変動する磁界によって起電力を生じさせるためのコイルが電子機器に設けられる。
【０００３】
また、電子機器をクレードル等の充電装置に設置して充電を行う際に、非接触にて充電を行うための各種手法が提案されている。例えば、充電開始を機械的または電気的に行う手法（特許文献１参照）、接触による充電方式および非接触による充電方式の両方式を備えるデジタルカメラにおいて、そのどちらで充電が行われているかを示す情報をデジタルカメラのモニタに表示する手法（特許文献２参照）、非接触による充電および接触による充電を切り替え可能とする手法（特許文献３参照）、および充電時に画像を表示できるようにクレードルの形状を工夫した手法（特許文献４参照）等が提案されている。
【特許文献１】特開２００３−７９０７６号公報
【特許文献２】特開２００３−１３４６９９号公報
【特許文献３】特開２００３−１５３４５６号公報
【特許文献４】特開２００６−３５３０９４号公報
【発明の開示】
【発明が解決しようとする課題】
【０００４】
しかしながら、上記特許文献１から４に記載された手法では、電子機器と充電装置との間で非接触による充電を行うため、電子機器内にコイルを設定するスペースを設ける必要が生じることから、電子機器の大型化が避けられない。
【０００５】
本発明は上記事情に鑑みなされたものであり、非接触にて充電を行うに際し、充電される電子機器の大型化を防止することを目的とする。
【課題を解決するための手段】
【０００６】
本発明による第１の電源システムは、２次電池と、
前記２次電池の電力を外部機器に送電する送電手段と、
前記２次電池を充電する充電手段と、
前記送電手段および前記充電手段と接続される第１の接続手段と、
前記２次電池、前記送電手段および前記充電手段を備えた他の電源装置と通信を行う通信手段と、
前記他の電源装置の２次電池の残量と自身の２次電池の残量とを比較する比較手段と、
前記他の電源装置の２次電池の残量の方が大きい場合に前記充電手段を駆動し、前記他の電源装置の２次電池の残量の方が小さい場合に前記送電手段を駆動する切り替え手段とを備えた電源装置、および
前記第１の接続手段と接続される第２の接続手段と、
該第２の接続手段と接続され、前記送電手段が駆動される場合において、電磁誘導により無接点で前記２次電池の電力を外部機器に送電し、前記充電手段が駆動される場合において、電磁誘導により発生した電圧により無接点で前記２次電池を充電するコイルとを備えた充電装置を有することを特徴とするものである。
【０００７】
本発明による第２の電源システムは、２次電池と、
前記２次電池の電力を外部機器に送電する送電手段と、
前記２次電池を充電する充電手段と、
前記送電手段および前記充電手段と接続される第１の接続手段と、
前記２次電池、前記送電手段および前記充電手段を備えた他の電源装置と通信を行う通信手段と、
前記他の電源装置の２次電池の残量、該他の電源装置の基準電力、自身の前記２次電池の残量、および自身の基準電力に基づいて、前記他の電源装置の２次電池の残量および自身の２次電池の残量を、該他の電源装置の基準電力および自身の基準電力に応じて均一に配分するための配分電力量を算出し、自身の配分電力量が自身の２次電池の残量未満の場合に前記送電手段を駆動し、自身の配分電力量が自身の２次電池の残量より大きい場合に前記充電手段を駆動する切り替え手段とを備えた電源装置、および
前記第１の接続手段と接続される第２の接続手段と、
該第２の接続手段と接続され、前記送電手段が駆動される場合において、電磁誘導により無接点で前記２次電池の電力を外部機器に送電し、前記充電手段が駆動される場合において、電磁誘導により発生した電圧により無接点で前記２次電池を充電するコイルとを備えた充電装置を有することを特徴とするものである。
【０００８】
なお、本発明による第１および第２の電源システムにおいては、前記電源装置を、前記充電手段における起電力を測定する起電力測定手段と、
前記充電手段が駆動される場合において、所定のタイミングにて前記起電力測定手段により前記起電力を測定し、該起電力が所定のしきい値以下の場合に前記充電を停止する指示を前記通信手段から前記他の電源装置に行う制御手段とをさらに備えるものとしてもよい。
【０００９】
また、本発明による第１および第２の電源システムにおいては、前記制御手段を、充電の開始時に前記起電力測定手段により前記起電力を測定し、該起電力が前記所定のしきい値以下の場合に前記充電を停止する指示を前記通信手段から前記他の電源装置に行う手段としてもよい。
【００１０】
また、本発明による第１および第２の電源システムにおいては、前記制御手段を、充電の開始後、所定の時間間隔にて前記起電力測定手段により前記起電力を測定し、該起電力が前記所定のしきい値以下の場合に前記充電を停止する指示を前記通信手段から前記他の電源装置に行う手段としてもよい。
【００１１】
また、本発明による第１および第２の電源システムにおいては、前記電源装置を、各種表示を行う表示手段と、
前記送電手段または前記充電手段の駆動の状況、および前記２次電池の残量の状況の少なくとも１つを含む状況情報を前記表示手段に表示する表示制御手段とをさらに備えるものとしてもよい。
【００１２】
本発明による第１の電源装置の制御方法は、本発明による第１の電源システムにおける電源装置の制御方法であって、
前記２次電池、前記送電手段および前記充電手段を備えた他の電源装置における２次電池の残量と自身の２次電池の残量とを比較し、
前記他の電源装置の２次電池の残量の方が大きい場合に前記充電手段を駆動し、
前記他の電源装置の２次電池の残量の方が小さい場合に前記送電手段を駆動することを特徴とするものである。
【００１３】
本発明による第２の電源装置の制御方法は、本発明による第２の電源システムにおける電源装置の制御方法であって、
前記２次電池、前記送電手段および前記充電手段を備えた他の電源装置における２次電池の残量、該他の電源装置の基準電力、自身の前記２次電池の残量、および自身の基準電力に基づいて、前記他の電源装置の２次電池の残量および自身の２次電池の残量を、該他の電源装置の基準電力および自身の基準電力に応じて均一に配分するための配分電力量を算出し、
自身の配分電力量が自身の２次電池の残量未満の場合に前記送電手段を駆動し、
自身の配分電力量が自身の２次電池の残量より大きい場合に前記充電手段を駆動することを特徴とするものである。
【００１４】
なお、本発明による第１および第２の電源システムにおける電源装置の制御方法をコンピュータに実行させるためのプログラムとして提供してもよい。
【発明の効果】
【００１５】
本発明の第１の電源システムによれば、充電装置にコイルを設けるようにしたため、電源装置を備えた電子機器にコイルを設けるためのスペースが不要となる。したがって、非接触で充電を行う場合における電子機器の大型化を防止することができる。また、他の電源装置の２次電池の残量と自身の２次電池の残量とを比較し、他の電源装置の２次電池の残量の方が小さい場合には送電手段を駆動するようにしたため、電源装置を送電するための装置とすることができる。一方、他の電源装置の２次電池の残量の方が大きい場合には充電手段を駆動するようにしたため、電源装置を充電するための装置とすることができる。
【００１６】
本発明の第２の電源システムによれば、充電装置にコイルを設けるようにしたため、電源装置を備えた電子機器にコイルを設けるためのスペースが不要となる。したがって、非接触で充電を行う場合における電子機器の大型化を防止することができる。また、他の電源装置の２次電池の残量、基準電力、自身の２次電池の残量、および基準電力に基づいて、他の電源装置の２次電池および自身の２次電池の残量を、他の電源装置の基準電力および自身の基準電力に応じて均一に配分するための配分電力量を算出し、自身の配分電力量が自身の２次電池の残量未満の場合に送電手段を駆動し、自身の配分電力量が自身の２次電池の残量より大きい場合に充電手段を駆動するようにしたため、充電および送電を行う電子機器が異なる種類のものであっても、両者の基準電力に応じてバランスよく電力を配分して充電および送電を行うことができる。
【００１７】
また、充電手段が駆動される場合において、所定のタイミングにて起電力測定手段により起電力を測定し、起電力が所定のしきい値以下の場合に、充電を停止する指示を他の電源装置に行うことにより、他の電源装置の２次電池の残量が少なく、他の電源装置から送電する意味がない場合において、無駄な送電が行われてしまうことを防止することができる。
【００１８】
また、充電の開始時に起電力を測定し、起電力が所定のしきい値以下の場合に充電を停止する指示を他の電源装置に行うことにより、意味のない充電が行われることを防止できる。
【００１９】
また、充電の開始後、所定の時間間隔にて起電力を測定し、起電力が所定のしきい値以下の場合に充電を停止する指示を他の電源装置に行うことにより、意味のない充電が継続されることを防止できる。
【００２０】
また、送電手段または充電手段の駆動の状況、および２次電池の残量の状況の少なくとも１つを含む状況情報を表示することにより、本発明による電源システム同士で充電を行う場合に、どの電源システムが送電側または充電側として機能しているかを確認することができる。また双方の電源システムにおける２次電池の残量を確認することができる。
【発明を実施するための最良の形態】
【００２１】
以下、図面を参照して本発明の実施形態について説明する。図１は本発明の第１の実施形態による電源システムの構成を示す図である。図１に示すように、本発明の第１の実施形態による電源システム１は、充電されるデジタルカメラ１Ａと、クレードル１Ｂとを備え、クレードル１Ｂとデジタルカメラ１Ａとを接続し、他の電源システム１′と並べて配置することにより、一方のデジタルカメラから他方のデジタルカメラに充電を行うものである。
【００２２】
図２は本発明の第１の実施形態による電源システムに用いられるデジタルカメラの内部構成を示す図である。図２に示すようにデジタルカメラ１Ａは、撮影に関する各種処理を行うための撮像部２、操作部３、内部メモリ４、液晶等のモニタ５（以下単にモニタとする）およびメディア制御部６を備える。
【００２３】
撮像部２は、不図示のレンズ、絞り、シャッタ、ＣＣＤ、アナログフロントエンド、Ａ／Ｄ変換部およびデジタル信号処理部を備え、撮影により取得した画像信号をデジタルの画像データに変換して出力する。
【００２４】
操作部３は、レリーズボタン、十字キーおよび各種操作ボタンからなり、デジタルカメラ１Ａに対して各種入力を行うためのものである。
【００２５】
内部メモリ４は、デジタルカメラ１Ａにおいて設定される各種定数、およびＣＰＵ２２が実行するプログラム等を記憶する。
【００２６】
モニタ５は、モニタドライバ７により駆動され、撮影により取得した画像等の各種表示を行う。
【００２７】
メディア制御部６は、記録メディア８にアクセスして画像ファイルの書き込みおよび読み込みの制御を行う。
【００２８】
なお、デジタルカメラ１Ａにおける撮影に関する動作は既知であるため、ここでは詳細な説明は省略する。
【００２９】
また、デジタルカメラ１Ａは電源部１０を備える。電源部１０は、充電可能なバッテリ１１、バッテリ１１の残量を検出する残量検出部１２、およびデジタルカメラ１Ａにおける電気系統の制御を行い、デジタルカメラ１Ａの各部に電力を供給する電源コントローラ１３を備える。
【００３０】
また、電源部１０は、デジタルカメラ１Ａとクレードル１Ｂとを電気的に接続するための接続端子１４、バッテリ１１の電流により後述するクレードル１Ｂに設けられたコイル３０を高周波駆動して磁束を発生させる送電部１５、コイル３０において発生した電圧をバッテリ１１に供給することによりバッテリ１１を充電するための充電部１７を備える。
【００３１】
ここで、第１の実施形態においては、図１に示すようにデジタルカメラ１Ａを載置したクレードル１Ｂからなる電源システム１、およびデジタルカメラ１Ａ′を載置したクレードル１Ｂ′からなる電源システム１′を、クレードル１Ｂ，１Ｂ′の垂直部分を対向するように近接させて配置することにより、一方のデジタルカメラから他方のデジタルカメラに充電を行うものである。
【００３２】
このため、電源部１０は、充電時にコイル３０において発生する起電力を測定する起電力測定部１８、バッテリ１１の残量Ｒ１と相手方のデジタルカメラ１Ａ′のバッテリ１１′の残量Ｒ２とを比較する比較部１９、およびバッテリ１１′よりもバッテリ１１の残量の方が大きい場合に送電部１５を駆動し、バッテリ１１′よりもバッテリ１１の残量の方が小さい場合に充電部１７を駆動する切り替え部２０とを備える。
【００３３】
また、デジタルカメラ１Ａは、外部機器と無線により通信を行うための無線通信部２１を備える。ここで、無線通信部２１が行う無線通信の方式は、無線ＬＡＮおよび赤外線通信等、公知の任意の方式を用いることができる。また、無線通信部２１は、相手方のデジタルカメラ１Ａ′と通信を行って、相手方のデジタルカメラ１Ａ′のバッテリ１１′の残量の情報を取得する。また、後述するように、送電の開始、停止の指示等を含む各種情報を相手方のデジタルカメラ１Ａ′に対して送信する。
【００３４】
また、デジタルカメラ１ＡはＣＰＵ２２を備える。ＣＰＵ２２は、操作部３からの指示等に基づいて、デジタルカメラ１Ａの各部の制御を行う。
【００３５】
図３は本発明の第１の実施形態による電源システムに用いられるクレードルの内部構成を示す図である。図３に示すようにクレードル１Ｂは、断面Ｌ字形状をなしており、垂直な部分の内部にコイル３０が垂直方向に延びるように設けられている。また、水平部分にはデジタルカメラ１Ａの接続端子１４とコイル３０とを接続するための接続端子３１が設けられている。そして、水平部分の接続端子３１をデジタルカメラ１の接続端子１４と接続させるようにデジタルカメラ１Ａをクレードル１Ｂに載置し、図１に示すように他のデジタルカメラ１Ａ′およびクレードル１Ｂ′と近接させて配置することにより、一方のデジタルカメラから他方のデジタルカメラへの充電を行うことができる。
【００３６】
次いで、第１の実施形態によるデジタルカメラ１Ａにおいて行われる処理について説明する。なお、以降の処理はＣＰＵ２２が内部メモリに記憶されたプログラムを読み出して実行することにより行われる。
【００３７】
図４および図５は第１の実施形態において行われる処理を示すフローチャートである。なお、ここでは、図１に示すようにデジタルカメラ１Ａおよびデジタルカメラ１Ａ′をそれぞれクレードル１Ｂ，１Ｂ′に載置し、クレードル１Ｂ，１Ｂ′をそのコイルが配置されている垂直な部分が対向するように並べて配置して、一方のデジタルカメラから他方のデジタルカメラの充電を行う場合の処理について説明する。また、以降の説明においては、デジタルカメラ１Ａ′およびクレードル１Ｂ′におけるデジタルカメラ１Ａおよびクレードル１Ｂの構成要素と同一の構成要素については、参照番号に「′」を付与して説明する。
【００３８】
ＣＰＵ２２からの指示により、残量検出部１２がバッテリ１１の残量Ｒ１を検出し（ステップＳＴ１）、無線通信部２１が相手方のデジタルカメラ１Ａ′の残量Ｒ２を問い合わせる（ステップＳＴ２）。ここで、相手方のデジタルカメラ１Ａ′においても、ＣＰＵ２２′からの指示により、残量検出部１２′がバッテリ１１′の残量Ｒ２を検出していることから、無線通信部２１は相手方のデジタルカメラ１Ａ′のバッテリ１１′の残量Ｒ２を取得することができる。なお、相手方のデジタルカメラ１Ａ′からも残量Ｒ１の問い合わせがあるため、無線通信部２１は残量Ｒ１を相手方のデジタルカメラ１Ａ′に通知する。
【００３９】
次いで、比較部１９が残量Ｒ１，Ｒ２を比較する（ステップＳＴ３）。Ｒ１＞Ｒ２の場合、切り替え部２０が送電部１５を駆動する（ステップＳＴ４）。この状態においては、相手方のデジタルカメラ１Ａ′においては、切り替え部２０′が充電部１７を駆動する。これにより、クレードル１Ｂのコイル３０に電流が流されて磁束が発生し、クレードル１Ｂ′のコイル３０′において電磁誘導による電圧が発生し、デジタルカメラ１Ａ′への送電が開始される（ステップＳＴ５）。なお、この場合、ＣＰＵ２２が、相手方のデジタルカメラ１Ａから送電停止の指示がなされたか否かの監視を開始し（ステップＳＴ６）、ステップＳＴ６が肯定されると処理を終了する。
【００４０】
一方、Ｒ１＜Ｒ２の場合、切り替え部２０は充電部１７を駆動する（ステップＳＴ７）。この状態においては、相手方のデジタルカメラ１Ａ′においては、切り替え部２０′が送電部１５′を駆動する。これにより、クレードル１Ｂのコイル３０に電磁誘導による電圧が発生し、デジタルカメラ１Ａのバッテリ１１への充電が開始される（ステップＳＴ８）。
【００４１】
充電開始直後、起電力測定部１８が、充電部１７を介してコイル３０において発生する起電力を測定する（ステップＳＴ９）。そして、ＣＰＵ２２は、起電力がしきい値Ｔｈ１以下であるか否かを判定し（ステップＳＴ１０）、ステップＳＴ１０が肯定されると、送電停止の指示を無線通信部２１から相手方のデジタルカメラ１Ａ′に送信する（ステップＳＴ１１）。これにより、相手方のデジタルカメラ１Ａ′は送電を停止するため、充電が停止され（ステップＳＴ１２）、処理を終了する。
【００４２】
一方、ステップＳＴ１０が否定されると、無線通信部２１がその旨の情報を相手方のデジタルカメラ１Ａ′に送信する（ステップＳＴ１３）。これにより、相手方のデジタルカメラ１Ａ′は送電を継続するため、充電が継続される（ステップＳＴ１４）。
【００４３】
充電継続中は、所定時間間隔にて残量検出部１２がバッテリ１１の残量Ｒ１を検出するとともに、無線通信部２１が相手方のデジタルカメラ１Ａ′の残量Ｒ２を問い合わせる（ステップＳＴ１５）。そして、比較部１９はＲ１＝Ｒ２となったか否かを判定し（ステップＳＴ１６）、ステップＳＴ１６が肯定されるとステップＳＴ１１に進み、送電停止の指示を無線通信部２１から相手方のデジタルカメラ１Ａ′に送信する。これにより、相手方のデジタルカメラ１Ａ′は送電を停止するため、充電が停止される。
【００４４】
ステップＳＴ１６が否定されると、起電力測定部１８が起電力を測定し（ステップＳＴ１７）、ＣＰＵ２２が起電力がしきい値Ｔｈ１以下であるか否かを判定する（ステップＳＴ１８）。ステップＳＴ１８が否定されるとステップＳＴ１５の処理に戻り、ステップＳＴ１５以降の処理を繰り返す。ステップＳＴ１８が肯定されると、ステップＳＴ１１に進み、無線通信部２１が送電停止の指示を相手方のデジタルカメラ１Ａ′に送信する。これにより、相手方のデジタルカメラ１Ａ′は送電を停止するため、充電が停止される。
【００４５】
なお、Ｒ１＝Ｒ２の場合は、送電および充電のいずれも行うことなく、処理を終了する。
【００４６】
このように、第１の実施形態においては、クレードル１Ｂに送電または充電を行うためのコイル３０を設けるようにしたため、デジタルカメラ１Ａにコイルを設けるためのスペースが不要となる。したがって、非接触で充電を行う場合におけるデジタルカメラの大型化を防止することができる。また、自身のデジタルカメラ１Ａのバッテリ１１の残量Ｒ１と、相手方のデジタルカメラ１Ａ′のバッテリ１１′の残量Ｒ２とを比較し、Ｒ１＞Ｒ２の場合には送電部１５を駆動するようにしたため、デジタルカメラ１Ａを送電するための装置とすることができる。一方、Ｒ１＜Ｒ２の場合には充電部１７を駆動するようにしたため、デジタルカメラ１Ａを充電するための装置とすることができる。
【００４７】
また、充電部１７が駆動される場合において、起電力測定部１８により起電力を測定し、起電力がしきい値Ｔｈ１以下の場合に充電を停止する指示を相手方のデジタルカメラ１Ａ′に行うようにしたため、相手方のデジタルカメラ１Ａ′のバッテリ１１′の残量が少なく、デジタルカメラ１Ａ′から送電する意味がない場合において、無駄な送電が行われてしまうことを防止することができる。
【００４８】
また、充電の開始後、所定の時間間隔にて起電力を測定し、起電力がしきい値Ｔｈ１以下となった場合に充電を停止する指示を相手方のデジタルカメラ１Ａ′に行うことにより、意味のない充電が継続されることを防止できる。
【００４９】
なお、上記第１の実施形態においては、充電中において、モニタ５にバッテリ１１の残量Ｒ１およびデジタルカメラ１Ａが充電側として機能しているか送電側として機能しているかを表す表示を行ってもよい。
【００５０】
図６はデジタルカメラが充電側として機能している場合の表示画面を示す図、図７はデジタルカメラが送電側として機能している場合の表示画面を示す図である。図６に示すようにデジタルカメラ１Ａが充電側として機能している場合、表示画面４１にはデジタルカメラのアイコン４１Ａおよびアイコン４１Ａに向かう矢印４１Ｂが表示される。この状態において、操作部３を操作すると表示画面４２に切り替わる。表示画面４２には、時間の経過とともに、バッテリ１１の残量を示す棒グラフ４２Ａが表示される。表示画面４２は、デジタルカメラ１Ａが充電側として機能している場合の画面であるため、棒グラフ４２Ａは時間の経過とともに残量が増大するものとなっている。
【００５１】
一方、図７に示すようにデジタルカメラ１Ａが送電側として機能している場合、表示画面４３にはデジタルカメラのアイコン４３Ａおよびアイコン４３Ａから外側に向かう矢印４３Ｂが表示される。この状態において、操作部３を操作すると表示画面４４に切り替わる。表示画面４４には、時間の経過とともに、バッテリ１１の残量を示す棒グラフ４４Ａが表示される。表示画面４４は、デジタルカメラ１Ａが送電側として機能している場合の画面であるため、棒グラフ４４Ａは時間の経過とともに残量が減少するものとなっている。
【００５２】
なお、表示画面４１，４２および表示画面４３，４４は、操作部３の操作により切り替え表示するのみならず、所定時間間隔にて交互に切り替え表示するようにしてもよい。また、１つの表示画面に、アイコン、矢印および棒グラフを表示するようにしてもよい。また、表示画面４１，４２のいずれか一方のみ、または表示画面４３，４４のいずれか一方のみを表示するようにしてもよい。なお、表示の制御はモニタドライバ７が行う。
【００５３】
このような表示を行うことにより、デジタルカメラ１Ａが充電側および送電側のいずれとして機能しているかを確認することができる。また、バッテリ１１の残量Ｒ１の変化も確認することができる。
【００５４】
次いで、本発明の第２の実施形態について説明する。なお、第２の実施形態によるデジタルカメラおよびクレードルは、第１の実施形態によるデジタルカメラ１Ａおよびクレードル１Ｂと同一の構成を有し、行われる処理のみが異なるため、ここでは構成についての詳細な説明は省略する。第２の実施形態においては、相手方のデジタルカメラ１Ａ′が自身のデジタルカメラ１Ａと機種が異なり、電源オンとされた後、撮影時の動作がなされていない状態のとき（例えばスルー画像を撮影する状態のとき）に消費される基準電力がデジタルカメラ１Ａ，１Ａ′において異なる場合に、比較部１９が、相手方のデジタルカメラ１Ａ′のバッテリ１１′の残量Ｒ２、相手方のデジタルカメラ１Ａ′の基準電力、自身のバッテリ１１の残量、および自身の基準電力に基づいて、デジタルカメラ１Ａ，１Ａ′のバッテリ１１，１１′の合計残量をデジタルカメラ１Ａ，１Ａ′の基準電力に応じて均一に配分するための配分電力量を算出し、切り替え部２０が、自身の配分電力量が自身のバッテリ１１の残量未満の場合に送電部１５を駆動し、自身の配分電力量が自身のバッテリ１１の残量より大きい場合に充電部１７を駆動するようにした点が第１の実施形態と異なる。
【００５５】
次いで、第２の実施形態において行われる処理について説明する。図８および図９は第２の実施形態において行われる処理を示すフローチャートである。ＣＰＵ２２からの指示により、残量検出部１２がバッテリ１１の残量Ｒ１を検出し（ステップＳＴ２１）、無線通信部２１が相手方のデジタルカメラ１Ａ′の残量Ｒ２および基準電力を問い合わせる（ステップＳＴ２２）。ここで、相手方のデジタルカメラ１Ａ′においても、ＣＰＵ２２′からの指示により、残量検出部１２′がバッテリ１１′の残量Ｒ２を検出していることから、無線通信部２１は相手方のデジタルカメラ１Ａ′のバッテリ１１′の残量Ｒ２および基準電力を取得することができる。なお、相手方のデジタルカメラ１Ａ′からも残量Ｒ１および基準電力の問い合わせがあるため、無線通信部２１は残量Ｒ１および基準電力を相手方のデジタルカメラ１Ａ′に通知する。
【００５６】
次いで、比較部１９が、自身の基準電力Ｖ１、相手方の基準電力Ｖ２および残量Ｒ１，Ｒ２に基づいて、残量Ｒ１，Ｒ２の合計残量を、デジタルカメラ１Ａ，１Ａ′の基準電力Ｖ１，Ｖ２に応じて均一に配分するための配分電力量Ｗ１，Ｗ２を算出する（ステップＳＴ２３）。具体的には、下記の式（１）、（２）により配分電力量Ｗ１，Ｗ２を算出する。
【００５７】
Ｗ１＝（Ｒ１＋Ｒ２）×Ｖ１（Ｖ１＋Ｖ２）    （１）
Ｗ２＝（Ｒ１＋Ｒ２）×Ｖ２（Ｖ１＋Ｖ２）    （２）
さらに比較部１９は、残量Ｒ１と配分電力量Ｗ１とを比較する（ステップＳＴ２４）。Ｒ１＞Ｗ１の場合、切り替え部２０が送電部１５を駆動する（ステップＳＴ２５）。この状態においては、相手方のデジタルカメラ１Ａ′においては、切り替え部２０′が充電部１７を駆動する。これにより、クレードル１Ｂのコイル３０に電流が流されて磁束が発生し、クレードル１Ｂ′のコイル３０′において電磁誘導による電圧が発生し、デジタルカメラ１Ａ′への送電が開始される（ステップＳＴ２６）。この場合、ＣＰＵ２２が、相手方のデジタルカメラ１Ａから送電停止の指示がなされたか否かの監視を開始し（ステップＳＴ２７）、ステップＳＴ２７が肯定されると処理を終了する。
【００５８】
一方、Ｒ１＜Ｗ１の場合、切り替え部２０は充電部１７を駆動する（ステップＳＴ２８）。この状態においては、相手方のデジタルカメラ１Ａ′においては、切り替え部２０′が送電部１５′を駆動する。これにより、クレードル１Ｂのコイル３０に電磁誘導による電圧が発生し、デジタルカメラ１Ａのバッテリ１１への充電が開始される（ステップＳＴ２９）。
【００５９】
充電開始直後、起電力測定部１８が、充電部１７を介して充電コイル１６において発生する起電力を測定する（ステップＳＴ３０）。そして、ＣＰＵ２２は、起電力がしきい値Ｔｈ１以下であるか否かを判定し（ステップＳＴ３１）、ステップＳＴ３１が肯定されると、無線通信部２１が送電停止の指示を相手方のデジタルカメラ１Ａ′に送信する（ステップＳＴ３２）。これにより、相手方のデジタルカメラ１Ａ′は送電を停止するため、充電が停止され（ステップＳＴ３３）、処理を終了する。
【００６０】
一方、ステップＳＴ３１が否定されると、無線通信部２１がその旨の情報を相手方のデジタルカメラ１Ａ′に送信する（ステップＳＴ３４）。これにより、相手方のデジタルカメラ１Ａ′は送電を継続するため、充電が継続される（ステップＳＴ３５）。
【００６１】
充電継続中は、所定時間間隔にて残量検出部１２がバッテリ１１の残量Ｒ１を検出する（ステップＳＴ３６）。そして、比較部１９がＲ１＝Ｗ１となったか否かを判定し（ステップＳＴ３７）、ステップＳＴ３７が肯定されるとステップＳＴ３２に進み、送電停止の指示を無線通信部２１から相手方のデジタルカメラ１Ａ′に送信する。これにより、相手方のデジタルカメラ１Ａ′は送電を停止するため、充電が停止される。
【００６２】
ステップＳＴ３７が否定されると、起電力測定部１８が起電力を測定し（ステップＳＴ３８）、ＣＰＵ２２が起電力がしきい値Ｔｈ１以下であるか否かを判定する（ステップＳＴ３９）。ステップＳＴ３９が否定されるとステップＳＴ３６の処理に戻り、ステップＳＴ３６以降の処理を繰り返す。ステップＳＴ３９が肯定されると、ステップＳＴ３２に進み、送電停止の指示を無線通信部２１から相手方のデジタルカメラ１Ａ′に送信する。これにより、相手方のデジタルカメラ１Ａ′は送電を停止するため、充電が停止される。
【００６３】
このように、第２の実施形態においては、クレードル１Ｂに送電または充電を行うためのコイル３０を設けるようにしたため、デジタルカメラ１Ａにコイルを設けるためのスペースが不要となる。したがって、非接触で充電を行う場合におけるデジタルカメラ１Ａの大型化を防止することができる。
【００６４】
また、相手方のデジタルカメラ１Ａ′のバッテリ１１′の残量Ｒ２、基準電力Ｖ２、自身のバッテリ１１の残量Ｒ１、および基準電力Ｖ１に基づいて、デジタルカメラ１Ａ，１Ａ′のバッテリ１１，１１′残量を、基準電力Ｖ１，Ｖ２に応じて均一に配分するための配分電力量Ｗ１，Ｗ２を算出し、自身の配分電力量Ｗ１が自身のバッテリ１１の残量Ｒ１未満の場合に送電部１５を駆動し、配分電力量Ｗ１が自身のバッテリ１１の残量Ｒ１より大きい場合に充電部１７を駆動するようにしたため、充電および送電を行うデジタルカメラ１Ａ，１Ａ′の機種が異なるものであっても、両者の基準電力に応じてバランスよく電力を配分して充電および送電を行うことができる。
【００６５】
なお、上記第１および第２の実施形態においては、本発明による電源システムに用いる電子装置をデジタルカメラに適用しているが、本発明による電源システムにおける電源装置を適用する電子機器としては、デジタルカメラに限定されるものではなく、例えば携帯電話等、どのような電子機器に対しても本発明を適用できる。
【００６６】
また、上記実施形態においては、クレードル１Ｂに１つのコイル３０のみを設けているが、送電用および充電用の２つのコイルを設けるようにしてもよい。
【００６７】
また、上記実施形態においては、無線通信部２１を用いて無線によりデジタルカメラ１Ａ，１Ａ′間において情報のやりとりをしているが、デジタルカメラ１Ａ，１Ａ′をケーブルにより接続し、有線にて情報のやりとりを行うようにしてもよい。
【００６８】
以上、本発明の実施形態に係るデジタルカメラ１Ａについて説明したが、コンピュータに図４，５，８，９に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００６９】
【図１】本発明の第１の実施形態による電源システムの構成を示す図
【図２】本発明の第１の実施形態による電源システムに用いられるデジタルカメラの内部構成を示す図
【図３】本発明の第１の実施形態による電源システムに用いられるクレードルの内部構成を示す図
【図４】第１の実施形態において行われる処理を示すフローチャート（その１）
【図５】第１の実施形態において行われる処理を示すフローチャート（その２）
【図６】デジタルカメラが充電側として機能している場合の表示画面を示す図
【図７】デジタルカメラが送電側として機能している場合の表示画面を示す図
【図８】第２の実施形態において行われる処理を示すフローチャート（その１）
【図９】第２の実施形態において行われる処理を示すフローチャート（その２）
【符号の説明】
【００７０】
１Ａ    デジタルカメラ
１Ｂ    クレードル
１１    バッテリ
１２    残量検出部
１３    電源コントローラ
１４    接続端子
１５    送電部
１７    充電部
１８    起電力測定部
１９    比較部
２０    切り替え部
２１    無線通信部
２２    ＣＰＵ２２
３０    コイル
３１    接続端子
【図１】
2010028915.tif 000003
【図２】
2010028915.tif 000004
【図３】
2010028915.tif 000005
【図４】
2010028915.tif 000006
【図５】
2010028915.tif 000007
【図６】
2010028915.tif 000008
【図７】
2010028915.tif 000009
【図８】
2010028915.tif 000010
【図９】
2010028915.tif 000011